(57)【特許請求の範囲】
【請求項１】
哺乳類の疾病に処置を施すために電磁信号を生成するための携帯型装置であって、前記装置は、
コネクタと、信号出力部と、前記コネクタを前記信号出力部に接続するリードとを有する電磁変換器部であって、
前記コネクタは、識別回路を含み、
前記信号出力部は、複数の巻き線を有するワイヤ・コイルを含む
電磁変換器部と、
信号生成器であって、
前記電磁変換器部の前記コネクタを受け入れるように構成されたポートと、
前記ポートに結合された増幅器と、
低周波数の時間領域治療信号を記憶するための第１のメモリであって、
前記記憶された治療信号は薬物サンプルによって生み出された、取得された信号から得られ、
前記記憶された治療信号は１Ｈｚから２２ｋＨｚの間の周波数範囲を有する
第１のメモリと、
前記増幅器と前記第１のメモリとに通信可能に結合された少なくとも１つのプロセッサと、
前記増幅器と前記第１のメモリと前記プロセッサとに結合されたバッテリと、
前記増幅器と前記第１のメモリと前記プロセッサと前記バッテリとを保持するための筐体と
を備える信号生成器と
を備え、
前記プロセッサは、前記コネクタが前記ポートに受け入れられ、前記プロセッサが前記識別回路から取得された情報を受信した際に、前記増幅器による増幅及び前記電磁変換器部への配信のために前記記憶された治療信号を提供するようにプログラムされ、
前記電磁変換器部は、前記記憶された治療信号に応答して、哺乳類の患者に、前記信号出力部に近接した位置において治療を施すために、磁場信号を生成し、
前記プロセッサは、前記識別回路から取得された前記ワイヤ・コイルに関する情報に基づいて、前記増幅器が前記ワイヤ・コイルへの配信のために前記記憶された治療信号の強度レベルを調整するようにプログラムされる、
携帯型装置。
【請求項２】
前記記憶された治療信号は、
電磁遮蔽構造内で、少なくとも１つの超電導量子干渉素子（ＳＱＵＩＤ）又は磁力計に近接して、前記薬物・サンプルを供給するステップと、
磁気と電磁気の両方を遮蔽した容器に、前記薬物サンプルを載置するステップであって、前記薬物サンプルが分子シグナルの信号源として作用するステップと、
別の信号源からの別の信号のない状態で、確率共鳴を生成するのに十分なノイズ振幅でノイズを前記薬物サンプルに注入するステップであって、前記ノイズは複数の周波数にわたって実質的に均一な振幅を有するステップと、
前記超電導量子干渉素子（ＳＱＵＩＤ）又は磁力計を介して、前記薬物サンプルからの出力放射を検出し、前記他の生成された信号がない状態で前記注入されたノイズに重畳された薬物サンプル源放射からなる電磁時間領域信号を記録するステップと、
前記注入と検出を、前記薬物サンプル源放射が前記注入されたノイズから区別できるまで、選択されたノイズ・レベル範囲内の複数のノイズ・レベルのそれぞれにおいて繰り返すステップと
によって生成される、請求項１に記載の装置。
【請求項３】
前記プロセッサに結合された視覚的ディスプレイ・デバイスを更に備え、
前記プロセッサは、カウントダウン・タイマーの状態と、前記バッテリの状態と、前記電磁変換器部の状態と、前記記憶された治療信号のＩＤとのうちの少なくとも２つを提供するために、前記ディスプレイ・デバイスに信号を提供するように構成される、請求項１に記載の装置。
【請求項４】
前記第１のメモリは不揮発性メモリであり、
前記装置は前記プロセッサに結合された第２のメモリを含み、
前記第２のメモリは揮発性メモリであり、
前記記憶された治療信号は前記第１のメモリ内に暗号化されたフォーマットで記憶され、
前記プロセッサは、
セキュリティ・チェックを行い、
前記セキュリティ・チェックが成功したときに、前記記憶された治療信号を復号し、
前記復号された治療信号を前記第２のメモリに記憶し、
タイマーを初期化し、
前記タイマーが満了した又は閾値に達したときに、少なくとも前記第２のメモリに記憶された前記復号された治療信号を消去する、
ように更にプログラムされる、請求項１に記載の装置。
【請求項５】
前記電磁変換器部は異なるサイズの部位にそれぞれ磁場信号を提供するために使用される異なるサイズの信号出力部をそれぞれが有するいくつかの異なる電磁変換器部のうちの１つである、請求項１に記載の装置。
【請求項６】
前記識別回路と前記プロセッサとは１−Ｗｉｒｅプロトコルを介して通信する、請求項１に記載の装置。
【請求項７】
前記プロセッサは、前記記憶された治療信号を前記増幅器に提供する前に電磁変換器部インピーダンス又は抵抗チェックを実行する、請求項１に記載の装置。
【請求項８】
前記識別回路は固有の識別子又はセキュリティ・キーを記憶し、
前記プロセッサは、前記記憶された治療信号を前記増幅器に提供する前に、前記固有の識別子又はセキュリティ・キーに基づいてセキュリティ・チェックを実行する、請求項１に記載の装置。
【請求項９】
前記プロセッサに結合されたセンサを更に備え、
前記センサは、前記筐体又は前記信号生成器の改ざんを示す信号を前記プロセッサに提供するように構成され、
それに応答して前記プロセッサは前記記憶された治療信号を消去する、請求項１に記載の装置。
【請求項１０】
疾病に治療を施すために信号を生成するための装置であって、前記装置は、
コネクタと、前記コネクタに結合された信号出力部とを有する電磁変換器部と、
信号生成器であって、
スイッチと、
治療信号を記憶するためのメモリであって、
前記記憶された治療信号は、タンパク質とＲＮＡとＤＮＡ配列とを含む、化学的又は生物学的分子のサンプルによって生み出された、取得された信号から得られ、
前記記憶された治療信号は、１Ｈｚから２２ｋＨｚの間の周波数範囲を有する
メモリと、
前記メモリと前記スイッチと前記コネクタとに結合された少なくとも１つのプロセッサと、
少なくとも前記プロセッサに結合されたバッテリと、
前記メモリとプロセッサとバッテリを保持するための筐体と
を備え、
前記プロセッサは、前記スイッチがオン位置にある際に、前記電磁変換器部への配信のために前記記憶された治療信号を提供するようにプログラムされ、
前記電磁変換器部は、前記記憶された治療信号に応答して、前記信号出力部に近接した位置の疾病に治療を施すために、電磁場信号を生成する、
信号生成器と
を備える装置。
【請求項１１】
ユーザが前記スイッチを操作でき、
前記プロセッサは、前記スイッチが前記オン位置にある際に、前記電磁変換器部への配信のために前記記憶された治療信号を提供し、前記スイッチがオフ位置にある際に、前記電磁変換器部への配信のために前記記憶された治療信号を提供することを中止するように構成された、請求項１０に記載の装置。
【請求項１２】
前記電磁変換器部の前記信号出力部のサイズは、前記電磁場信号の治療部位の幅と深さを定める選択された内部面積を有する、請求項１０に記載の装置。
【発明の詳細な説明】
【技術分野】
【０００１】
本出願は、参照によって本明細書に組み込まれる、２０１３年３月１５日に出願された譲受人の米国仮出願第６１／７９２，５４７号の優先権を主張する。
【背景技術】
【０００２】
様々な疾患や非健康的な状態が人々や動物たちに影響を及ぼしている。人々や動物たちに影響する疾患の一例はガンであり、医学的には悪性新生物として知られている。ガンは無秩序な細胞増殖を伴う様々な疾患の広いグループを含んでいる。２００７年には、世界中のヒトの死のおよそ１３％、およそ７９０万人がガンによるものである。世界人口へのその影響から、ガンの新しい治療法が、継続的に求められ、研究されている。
【発明の概要】
【発明が解決しようとする課題】
【０００３】
化学療法、放射線療法、外科手術などのガンへの従来の治療法は、押し付けがましいもの（intrusive）であったり、生活を変えるものであったり、日常的な日々の機能を患者が行うことができないままにするものであったりする可能性がある。代替的な治療法が求められている。
【図面の簡単な説明】
【０００４】
【図１】イヌ科の患者に用いられているセラピー・システムの図である。
【図２】図１のセラピー・システムの別の図である。
【図３】電磁場治療又は磁場治療を施すために使用されるコイルの変形例の図である。
【図４】電磁場治療又は磁場治療を施すために使用されるコイルの形状とサイズの変形例の図である。
【図５Ａ】セラピー・システムのためのケーブルの製作図である。
【図５Ｂ】セラピー・システムのためのケーブルの製作図である。
【図６】ケーブルのためのコネクタの図である。
【図７】ケーブルのためのコネクタの概略図である。
【図８】セラピー・システムのためのコイルの製造方法の流れ図である。
【図９】セラピー・システムのためのコントローラの筐体の分解図である。
【図１０】コントローラのためのマイクロプロセッサ回路の電気配線略図である。
【図１１】コントローラのためのメモリの電気配線略図である。
【図１２】コントローラのための様々な部品の電気配線略図である。
【図１３】コントローラのためのＬＣＤインターフェースの電気配線略図である。
【図１４】コントローラのための信号生成回路の電気配線略図である。
【図１５】コントローラのための電源調整回路の電気配線略図である。
【図１６】セラピー・システムを動作させる方法の流れ図である。
【図１７Ａ】セラピー・システムを人間の患者の頭蓋に固定するための例示的な装置の図である。
【図１７Ｂ】セラピー・システムを人間の患者の頭蓋に固定するための例示的な装置の図である。
【図１８】マウス研究モデルにおける、対照マウス被検体の投与マウス被検体とのＵ８７多形性膠芽腫ヒト細胞性固形腫瘍（U87 glioblastoma multiforme human cell line solid tumor）の体積を比較したグラフである。
【発明を実施するための形態】
【０００５】
本明細書で説明されるシステムと方法は、ガンや他の健康でない状態などの疾患を治療するための押し付けがましくない供給機構の例示の実施例を提供する。上述のように、ガンの治療に関連する従来のセラピーは、望ましくない副作用を残す可能性がある。本出願人は、本明細書で言及される関連する特許及び特許出願において、化学的、生化学的、あるいは生物学的分子から、又は化学的、生化学的、あるいは生物学的作用物質（agent）から、分子シグナルを検出し記録するためのシステム及び方法を開示している。いくつかの実施態様において、記録は、ガン、疾病、又は他の健康でない状態のための治療を施すために使用される化学的、生化学的、あるいは生物学的分子又は作用物質の分子シグナルを表している。本明細書で開示されるシステム及び方法は、特定の化学物質、生化学物質、又は生物製剤の分子シグナルを模擬又は模倣する電磁場もしくは磁場を生成することによって、薬物を使用することなく化学的、生化学的、又は生物学的治療の効果を患者に与えるように構成できる。このようにして、本システム及び方法は、患者が電子的な「処方」又は電磁的もしくは高周波エネルギーの投与を、例えばボタン一つで、受けることを可能にする。システム及び方法の実施例は、非侵襲的、非熱的、及び移動可能なセラピー・システムを説明する。
【０００６】
本明細書で使用される際、「薬物」（drug）という用語は、タンパク質、ＲＮＡ、及びＤＮＡ配列などを含む任意の化学的、生化学的、又は生物学的分子を定義するために広く使用されることに注意されたい。本明細書で使用される際、また、以下において更に詳しく説明する際、「磁場」、「電磁場」、及び類似の用語は、健康への悪影響に対処するための、選択された領域へのエネルギーの授与を表現するために互換的に使用され、授与されたエネルギーは特定の薬物のそれを反映する特性を有している。
【０００７】
図１は、特定の種類の細胞の成長を選択的に低下させる又は阻害するなどの治療処置を施すために、イヌなどの患者に磁気シグナルを印加するためのセラピー・システム１００の実施例を示す。いくつかの実施態様において、セラピー・システム１００は、電磁場又は磁場を患部に印加することによってガン細胞を治療するために使用できる。これらの場は、化学療法薬物によって生みだされるシグナルを模倣するシグナルに患部をさらすために誘起又は生成される。もちろん、本明細書においては、イヌが図示され、概してガンの治療について説明されるが、本システムはヒトなどの他の患者にも、疾患や他の病気を治療する多くの他の形態でも使用できる。化学療法薬物によって生みだされたシグナルの取得については、本願の譲受人によって共同所有される特許出願及び特許に、非常に詳細に説明されている。これらの特許及び出願は、米国特許第６，７２４，１８８号、第６，９９５，５５８号、第６，９５２，６５２号、第７，０８１，７４７号、第７，４１２，３４０号、及び第７，５７５，９３４号、並びにＰＣＴ出願第ＰＣＴ／ＵＳ２００９／００２１８４号を含み、これらのそれぞれは、その全体が参照によって本明細書に組み込まれる。
【０００８】
セラピー・システム１００は従来のガン治療に勝る様々な利点を提供し得る。例えば、セラピー・システム１００は持ち運び可能で、患者が着用又は携行することができ、患者が自宅にいるとき、職場にいるとき、学校にいるとき、及びレクリエーション中に治療を受けることができるかもしれない。更に、セラピー・システム１００は、患者が医療施設を訪れることなく、長い回復期間を招くこともなく、そしてことによると、吐き気、疲労、食欲減退、感染症の発症などの他の従来の副作用を経験することなく、治療を受けることを可能にするかもしれない。セラピー・システム１００は、コントローラ１０４に結合されたコイル‐ケーブル・アセンブリ１０２を含む。様々な実施態様によれば、セラピー・システム１００は、テープ、弾性包帯、ガーゼなどの留め具１０６（１０６ａ、１０６ｂ、１０６ｃを含む）を使用して、患者に固定することができる。
【０００９】
図２は、医師や患者に提供され得る際のセラピー・システム１００を示す。顧客に届けられるときには、セラピー・システム１００はコイル‐ケーブル・アセンブリ１０２とコントローラ１０４に加えて、追加のコントローラ１０８とバッテリ充電器１１０を含むこともできる。以下に説明される様々なセキュリティ上の理由で、各コントローラは、コントローラのための筐体を簡単に開けることができないように製造され得る。したがって、不正開封防止機構のついた筐体はバッテリを別のバッテリと交換するのを困難にするおそれがある。したがって、患者がセラピー・システム１００によって継続して治療を受けることを可能にするために、コントローラ１０４が充電器１１０で充電されている間に患者が治療を受けられるように１つ又は複数の追加のコントローラ１０８が提供され得る。コイル‐ケーブル‐コネクタ・アセンブリ１０２が、又はシステム全体が１つもしくは複数のコントローラ１０４、１０８とともに使い捨てであり得る。このようにして、コイル‐ケーブル・アセンブリ１０２、及び／又はコントローラ１０４、１０８は、好ましくは、単一の治療セッション及び１つの処方に対して提供され、コントローラとコイル・アセンブリが再使用されることはなく、交差汚染などが防止される。
【００１０】
セラピー・システムのコイル‐ケーブル・アセンブリ
図２において、コイル‐ケーブル・アセンブリ１０２は、封入コイル２０２と、ケーブル２０４と、コネクタ２０６とを含む。コイル２０２は、薬物疑似シグナルを模倣する磁場又は電磁場を生成するように構成された１つ又は複数の導体を含む。本明細書において使用される際、薬物疑似シグナルは１つ又は複数の既定の化学的、生化学的、及び／又は生物学的分子又は作用物質から発する磁場を近似的に再現するシグナルを含む。コイル２０２は様々な電気的特性を有するように構成できる。加えて、コイル２０２は、コイルの巻き線を保護することと装着者への快適なインターフェースを提供することの両方のためにプラスチック又は他の複合材料の中に封入できる。コイルは可撓性及び柔軟性を持つことができ、様々な形状を有することができ、異なる大きさ又は種類を有することができ、硬いコイルを含むこともできる。有利なことに、コイルを患者の皮下に挿入するのとは対照的に、これらのコイルは治療を施すために患者に外側から固定することができる。
【００１１】
図３は封入コイル２０２の形状の変形例の図を示す。図示されているように、セラピー・システム１００で使用されるコイルは、小型の円形封入コイル３０２、大型の円形封入コイル３０４、矩形の封入コイル３０６、及び／又は略正方形の封入コイル３０８を含むことができる。各形状は、患者の体の特定の部位を治療するための利点を提供することができる。
【００１２】
図４は、様々な形状と様々な寸法を持つコイルの実例を示す。大きさの異なる治療すべき部位へより効果的に治療を施すために、様々な寸法のコイルを製造することができる。様々な実施態様によれば、コイル４０２ａ、４０２ｂ、４０２ｃ、４０２ｄ、４０２ｄ、４０２ｆのそれぞれは、ほんの数センチメートルから数フィートまでの範囲にわたる内径及び／又は外径又は長さを持つことができる。
【００１３】
図５Ａと図５Ｂは製造中のケーブル２０４の製造前及び製造後の図を示す。ケーブル２０４は、コントローラ１０４がコイルへ様々なシグナルを送信することができるように、コイル、例えばコイル２０２をコネクタ２０６に接続する。ケーブル２０４は２つ以上の導体５０２ａ、５０２ｂ、シールド５０２ｃ、及び補強部材５０２ｄ（全体として導体５０２）を含むことができる。４つの導体と部材のそれぞれは、特定の機能を実行するように構成できる。例えば、導体５０２ａ、５０２ｂは、コイル５０４を作動、刺激、誘起、又はさもなければ励起するためにコイル５０４へ及びコイル５０４から電流が流れることを可能にするよう、コイル５０４のどちらかの端部に電気的に結合可能である。シールド導体５０２ｃはアースに結合されて、導体５０２ａ、５０２ｂに対して電磁遮蔽を提供するように構成できる。強度部材５０２ｄは、導体５０２ａ〜５０２ｃの歪みの緩和を提供するために、コイル５０４及びコネクタ２０６に固定可能である。いくつかの実施態様において、強度部材５０２ｄは、コイル５０４とコネクタ２０６との間にかかる任意の歪みの大部分を強度部材５０２ｄが引き受けるように、他の導体よりも短い長さで製造される。
【００１４】
図５Ｂに示されているように、コネクタ２０６は３つの部品、すなわちコネクタ・コア５０６とコネクタ筐体５０８ａ及び５０８ｂを含むことができる。コネクタ筐体５０８ａ及び５０８ｂは、コネクタ・コア５０６が保持する配線と電子デバイスを保護するために、コネクタ・コア５０６を封入することができる。図６はコネクタ・コア５０６の一実施態様を示す。コネクタ・コア５０６はコントローラ端６０２とケーブル端６０４を有する。コントローラ端６０２は、コントローラ１０４と嵌め合い可能に結合されるように構成され、ケーブル端６０４は導体５０２へのインターフェースを提供するように構成される。いくつかの実施態様において、強度部材５０２ｄは歪みの緩和を提供するために１つ又は複数の穴６０６に固定可能である。導体コア５０６は、コントローラ１０４との通信を容易にするために導体５０２ａ〜５０２ｃが電気的に結合され得る複数の配線６０８を保持することもできる。
【００１５】
コイル‐ケーブル・アセンブリ１０２のセキュリティ面での特徴として、コネクタ・コア５０６は、集積回路６１０を保持することもできる。集積回路６１０はマイクロプロセッサ又はスタンドアローンのメモリ・デバイスでよい。集積回路６１０は、Ｉ２Ｃ、１−Ｗｉｒｅなどの通信プロトコルを使用して、コントローラ端６０２を介してコントローラ１０４と通信するように構成できる。集積回路６１０は、コネクタ・コア５０６が関連付けられるコイルのデジタルＩＤを含むことができる。集積回路６１０に記憶されたデジタルＩＤによって、インピーダンス、インダクタンス、容量などのコイルの電気的特性を識別することができる。集積回路６１０は、コイルの導体の長さ、コイルの物理的な寸法、コイルの巻き数などの追加の情報を記憶し提供するように構成することもできる。いくつかの実施態様において、集積回路６１０は、盗難や模造品システムにおける再利用を防止するための、固有の識別子、暗号化データ、暗号化された情報などの情報を含む。例えば、集積回路６１０上の情報は、コイルの測定可能な特性及び／又は集積回路のＩＤを表す暗号化識別子を含んでもよい。もし、暗号化識別子が、例えばコイル‐ケーブル・アセンブリの不正な製造業者によって別の集積回路に単にコピーされ保存されたとしても、コントローラ１０４は暗号化識別子が不正だと認識し、信号の送信を禁止することができる。いくつかの実施態様において、集積回路は、公開鍵基盤やデジタル・コピー防止策などと関連付けられた通信及び／又はセキュリティ面での特徴を可能にするために、１つ又は複数の暗号鍵、デジタル署名、速記データ、又は他の情報を記憶する。
【００１６】
図７はコネクタ・コア５０６の回路図を示す。図示されるように、いくつかの実施態様によれば、集積回路６１０は、単一のワイヤによって、例えば入出力ピン７０２からコントローラ１０４と通信するように構成できる。
【００１７】
図８は、非侵襲的、非熱的、及び移動可能なセラピー・システムの提供において使用されるコイル‐ケーブル・アセンブリ、例えばコイル‐ケーブル・アセンブリ１０２を製造する方法８００を示す。
【００１８】
ブロック８０２において、電気コイルが可撓性の複合材料の中に封入される。可撓性の複合材料は、電気コイルが、磁場治療を施すために患者の体に快適に固定されることを可能にする。
【００１９】
ブロック８０４において、電気コイルは、コネクタと電気コイルとの間での確実な伝達を容易にするためにケーブルを介してコネクタに結合される。ケーブルは、シグナルを搬送する導体の機械的歪みの緩和を提供しつつ、コネクタと電気コイルとの間でシグナルを伝達する複数の導体を含むことができる。
【００２０】
ブロック８０６において、集積回路はコネクタ、ケーブル、又は電気コイルに結合される。集積回路は、例えば、電気コイルに結合しても結合しなくてもよい１つ又は複数の電気導体を介してコネクタに結合することができる。
【００２１】
ブロック８０８において、集積回路、コネクタ、ケーブル、及び／又は電気コイルの、個々の又は組み合わせた電気的特性を識別又は一意に識別する情報が集積回路に記憶される。この情報は、集積回路及び／又は残りのコイル‐ケーブル・アセンブリに固有であり得る情報に基づいたハッシュや他の暗号的に固有な識別子でよい。このセキュリティ面での特徴は、このセラピー・システムのためのコントローラに適合するコイル‐ケーブル・アセンブリの不正な再製造を防止又は抑止するために使用することができる。本明細書において、更なるセキュリティ面での特徴が、例えばセラピー・システムのためのコントローラの動作と関連して説明される。
【００２２】
セラピー・システムのコントローラ
再び図２を簡単に参照すると、セラピー・システム１００は、患者へのインターフェースを提供し、コイル２０２へ薬物疑似シグナルを配送及び調節し、薬物疑似シグナルの不正な複製及び／又は配布を防止するために、コントローラ１０４を含む。様々な実施態様によれば、コントローラ１０４は、筐体、プロセッサ、メモリ、視覚及び音声インターフェースのような様々な特徴を、後に図９から図１５において説明される他の特徴に加えて、含むことができる。
【００２３】
図９は、コントローラ１０４のための筐体９００を示す。筐体９００は、３つの部品、すなわち、筐体前部９０２（９０２ａ及び９０２ｂを含む）、筐体後部９０４（９０４ａ及び９０４ｂを含む）、及びクリップ９０６を含むことができる。筐体前部９０２は、それを通して視覚インターフェースが視認又は操作されるウィンドウ９０８を有することができる。図示されていないが、筐体前部９０２は、ボタン、ダイアル、スイッチ、発光インジケータ、及び／又はスピーカがそれらを通り抜けることができる、又はそれらを通して配置可能である、様々な開口を含むことができる。筐体前部９０２は、コントローラ１０４をコイル‐ケーブル・アセンブリ１０２に結合するための切り欠き又は孔９１０を含む。筐体後部９０４は、筐体後部９０４を筐体前部９０２に嵌め合い可能に取り付け／固定するための多数のペグ９１２を含むことができる。筐体前部９０２と筐体後部９０４は結合されると、縁９１４に沿って封止部を形成することができ、水、湿気、埃、又は他の環境要素が筐体９００の中に入るのを防止する。いくつかの実施態様において、筐体前部９０２を筐体後部９０４に恒久的に接合して内部の電子機器の不正な改ざんや目視を抑止又は防止するために、接着剤又は溶剤が使用されるが、他の実施態様において、前部と後部は、スナップ嵌めによって恒久的に組み合わさるように形成されてもよい。図示されるように、筐体後部９０４は、再充電器への接続又はコントローラ１０４への／からの情報通信を可能にする切り欠き、開口、又は孔９１６を含むことができる。クリップ９０６は、コントローラ１０４を装着者に固定するために、筐体後部９０４のスロット９１８に強固に固定又は着脱可能に結合可能である。
【００２４】
図１０から図１５は、コントローラ１０４が上述した様々な機能を実行するために含むことができる電子機器の配線略図を示す。様々な電子機器は１つ又は複数のプログラム可能なコントローラに統合されることが可能であり、又は互いに電気的且つ通信可能に結合された個別の電子部品を含むことができる。
【００２５】
図１０はコントローラ１０４を操作するためのマイクロコントローラ回路１０００を示す。回路１０００はマイクロプロセッサ１００２、リセット回路１００４、及び揮発性メモリ１００６を含む。マイクロコントローラは標準的なマイクロプロセッサ、マイクロコントローラ又は他の類似のプロセッサでよく、又はセキュリティを向上させるために改ざん防止プロセッサでもよい。マイクロプロセッサ１００２は、筐体９００の内部及び外部の電子機器との通信をサポートするために多数のアナログ及び／又はデジタル通信ピンを含むことができる。マイクロプロセッサ１００２は、ＵＳＢプロトコルを介した通信をサポートするためのＵＳＢピン１００８、視覚インターフェースと通信するためのディスプレイ・ピン１０１０、音声インターフェースを提供するためのオーディオ・ピン１０１２を、他のデータ通信ピンに加えて、含むことができる。
【００２６】
マイクロコントローラ１００２は、１つ又は複数の外部デバイスから安全に処方ファイルを受信するためにＵＳＢピン１００８を使用するように構成できる。処方ファイルを暗号化することによって処方ファイルの内容のセキュリティを向上することができる。暗号化システムには、通常、鍵配布問題（key-distribution-problem）として知られる欠点がある。暗号コミュニティでは、暗号化と復号化のアルゴリズムは攻撃者に知られてしまう（又は容易に発見され得る）、と標準的には想定されている。暗号化されたファイルを復号しその知的財産を暴くためには、鍵さえあればよい。情報の正当なユーザは、必ずキーを持たなければならない。キーを安全な方法で配布することで、鍵配布問題は弱められる。
【００２７】
いくつかの実施例において、マイクロコントローラ１００２は、アドバンスト・エンクリプション・スタンダード（ＡＥＳ：Advanced Encryption Standard）を使用するように構成される。ＡＥＳは米国国立標準技術研究所（ＮＩＳＴ：National Institute of Standards and Technology）が制定した電子データの暗号化に関する規格であり、組織間での金融取引に使用されている。これは対称暗号化規格（symmetrical encryption standard）（暗号化と復号化に同一のキーが使用される）であり、鍵の配布のセキュリティが維持されている間は安全であり得る。いくつかの実施態様において、マイクロコントローラ１００２は、各コントローラに固有で不揮発性メモリ１１００（図１１に図示）に記憶される１２８ビットＡＥＳキーを使用する。偽造、ハッキング、リバース・エンジニアリングの可能性を減らすために、暗号鍵はランダムなものにすることができる。暗号鍵は、製造工程の間に又はコントローラが顧客（医師又は患者）に届けられる前に、不揮発性メモリ１１００にロードすることができる。ＡＥＳ暗号を使用して、処方ファイルを暗号化し、様々なコントローラ１０４への選択的な配信を容易にするために１つ又は複数のサーバへアップロードすることができる。例えば、医師又は他の医療専門家は、処方ファイルを彼／彼女の患者のためにコントローラにダウンロードする権限を取得することができる。医師が処方ファイルを取得するためにサーバに接続しログインするとき、医師は最初に、例えば対象のデバイス（コントローラ）を同定する必要があるなど特定の情報をサーバに対して（例えばコントローラに記憶されたグローバル一意識別子（ＧＵＩＤ）によって）提供する必要があり得、それによってサーバがデータベース内で対象のデバイスを検索し、コントローラに適合した鍵によって暗号化された処方ファイルを提供できるようになる。暗号化された処方ファイルは次いで、ＵＳＢ又は別の通信プロトコルを使用し、マイクロコントローラ１００２を介して、不揮発性メモリ１１００へロードされ得る。さもなければ又は更には、暗号化された処方ファイルは、処方ファイルの傍受の可能性を減らすために製造工程の間であって、筐体の前部と後部が互いに封止される前に、不揮発性メモリ１１００に直接、記憶されてもよい。
【００２８】
マイクロコントローラ１００２は、患者によるセラピー・システム１００の使用のログを記録するように構成することもできる。ログは不揮発性メモリ１１００に記憶することができ、例えばコントローラ１０４の所定の割り当て期間が終了した後、患者が処方した医療専門家にコントローラ１０４を返却したときに、医療専門家によりダウンロードすることができる。ログは、医療専門家がコントローラ１０４の動作記録を表示させることができるように、分離された値として、テキストファイルとして、又はスプレッドシートとしてなど、様々なデータ・フォーマット又はファイルで記憶可能である。いくつかの実施態様において、マイクロコントローラ１００２は、コイル接続に関連するエラー、コイルの経時的な電気的特性、セラピー・システムの使用日時、バッテリ充電時間と放電特性、患者の体に接触して配置されていたコイルのインダクタンス測定値又は他の指標などに関連する情報のログを記録するように構成される。マイクロコントローラ１００２は、医療専門家がセラピー・システムの品質及び／又は機能や、患者によるセラピー・システムの使用量や使用状況を評価できるように、ＵＳＢポート又は他の通信形態を使用して、ログ・データ又はログ・ファイルを医療専門家に提供できる。注目すべきこととして、マイクロコントローラ１００２は、シグナルの配信におけるあらゆる途絶のログを記録するように構成でき、あらゆるエラー、ステータス・メッセージ、又はコントローラ１０４のユーザ・インターフェースを介して（例えばＬＣＤスクリーンを使って）ユーザに提供される他の情報のすべてのログを記録できる。
【００２９】
マイクロコントローラ１００２は、処方ファイルの内容を保護するために揮発性メモリ１００６を使用するように構成できる。いくつかの実施態様において、マイクロコントローラ１００２が処方ファイルを外部のソースから不揮発性メモリ１１００に転送するときには、処方ファイルは暗号化されている。マイクロコントローラ１００２は次いで、揮発性メモリ１００６に処方ファイルの内容の復号化されたバージョンを記憶だけするように構成することができる。復号化された内容の記憶を揮発性メモリ１００６に制限することで、マイクロコントローラ１００２ひいてはコントローラ１０４は、マイクロコントローラの回路１０００が電源から外されたときに復号化された内容が失われることを確実にすることができる。
【００３０】
マイクロコントローラ１００２は、不正なユーザが処方ファイルの内容を取得する可能性を減らすための更なるセキュリティ対策を実行するように構成できる。例えば、マイクロコントローラ１００２は、正規の又は正当なコイル‐ケーブル・アセンブリ１０２がコントローラ１０４に接続されたと確認した後で初めて処方ファイルを復号化するように構成できる。上述したように、コイル‐ケーブル・アセンブリ１０２は、コイル‐ケーブル・アセンブリ１０２のための１つ又は複数の暗号化された又は暗号化されていない識別子を記憶可能な集積回路を含むことができる。いくつかの実施態様において、マイクロコントローラ１００２は、正規の又は所定のコイル‐ケーブル・アセンブリ１０２がコントローラ１０４に接続されていることを確認するように構成される。マイクロコントローラ１００２は、コイル‐ケーブル・アセンブリ１０２の集積回路からの識別子を揮発性メモリ１００６又は不揮発性メモリ１１００のどちらかの中のルックアップ・テーブルに記憶されている１つ又は複数の登録項目と比較することで、コイル‐ケーブル・アセンブリ１０２が真正であることを確認できる。他の実施態様において、マイクロコントローラ１００２は、集積回路のシリアル番号を取得するとともにコイル‐ケーブル・アセンブリ１０２の電気的特性を測定し、ハッシュ関数などの暗号関数をシリアル番号と電気的特性の組み合わせに対して実行するように構成できる。こうすることで、不正なユーザがコイル‐ケーブル・アセンブリ１０２の集積回路の内容をコイル‐ケーブル・アセンブリの不正なコピーと関連する複製された集積回路にコピーすることを抑止又は防止できる。
【００３１】
マイクロコントローラ１００２は、１つ又は複数の既定の条件が満たされたことに応じて、処方ファイルを揮発性メモリ１００６及び不揮発性メモリ１１００から消去するように構成できる。例えば、マイクロコントローラ１００２は、コントローラが所定の薬物疑似シグナルを規定の期間、例えば１４日の間配信した後に、処方ファイルをメモリから消去するように構成できる。他の実施例において、マイクロコントローラ１００２は、コントローラ１０４が不正なコイル‐ケーブル・アセンブリと結合したことをコントローラが検知したあと、処方ファイルをメモリから消去するように構成できる。マイクロコントローラ１００２は、不正なコイル‐ケーブル・アセンブリと１回結合しただけで、処方ファイルを消去するように構成されてもよく、又は不正なコイル‐ケーブル・アセンブリとの結合が既定の回数起こったあとで、処方ファイルを消去するように構成されてもよい。いくつかの実施態様において、マイクロコントローラは、内部のタイマーを監視し、処方ファイルがコントローラ１０４にインストールされてから、例えば１か月後、２か月後又はそれ以上後に、処方ファイルを消去するように構成できる。
【００３２】
マイクロコントローラ１００２は、１つ又は複数のセンサからの入力に応答して、処方ファイルを揮発性メモリ１００６及び不揮発性メモリ１１００から消去するように構成できる。図１２は、コントローラ１０４の筐体９００の物理的な分断に応答して、マイクロコントローラ１００２に信号を提供することができるセンサ１２０２を示す。例えば、センサ１２０２は、電磁気スペクトラムの範囲内の可視及び不可視波長を検知する光センサでよい。例えば、センサ１２０２は、赤外、可視光、及び／又は紫外光を検知するように構成できる。筐体９００内での光の検知は筐体９００への侵入の指標となり得るので、マイクロコントローラ１００２は、センサ１２０２からの信号を受信したときに処方ファイルを消去及び／又は破壊するように構成できる。いくつかの実施態様において、センサ１２０２は光センサである。他の実施態様において、センサ１２０２は、圧力センサ、容量センサ、湿度センサ、温度センサなどであり得る。
【００３３】
コントローラ１０４の不正な使用の検知に応答して、又はセラピー・システム１００の使い勝手を向上するために、マイクロコントローラ１００２は、ユーザに情報を提供するために様々なインジケータ又はインターフェースを使用することができる。例として、図１２には、ＬＥＤ１２０４と音声ブザー１２０６が示されている。マイクロコントローラ１００２は、ユーザのエラー、不正な改ざんに応答して、又はセラピー・システム１００の計画的な使用からのずれのお知らせを提供するために、ＬＥＤ１２０４を発光させ且つ／又は音声ブザー１２０６を作動させることができる。ＬＥＤ１２０４には１つのＬＥＤが図示されているが、様々な色の複数のＬＥＤを使用してもよい。更に、音声ブザー１２０６はブザーとして説明されているが、他の実施態様において、音声ブザー１２０６は振動モータ、又は視覚障害を持つ専門家及び／又は患者によるセラピー・システム１００の使用を容易にする音声コマンドを配信するスピーカでもよい。
【００３４】
図１３はユーザと対話するためにマイクロコントローラ１００２が操作することができるＬＣＤインターフェース１３００を示す。ＬＣＤインターフェース１３００は、入力ピン１３０２においてマイクロコントローラ１００２から様々なコマンドを受信することができる。ＬＣＤスクリーン１３０４は、マイクロコントローラ１００２から受信した入力に応答して、ユーザに様々なメッセージを表示するように構成できる。いくつかの実施態様において、ＬＣＤスクリーン１３０４は、バッテリの状態に関するメッセージ、処方の使用時間、施されている処方の種類に関する情報、エラー・メッセージ、コイル‐ケーブル・アセンブリ１０２のＩＤなどを表示する。例えば、ＬＣＤスクリーン１３０４は、残りのバッテリ・パワーのパーセンテージ又は持続時間を提供することができる。ＬＣＤスクリーン１３０４は、バッテリの充電が少ないこと又はバッテリがほとんどなくなっていることをユーザに知らせるテキストベースのメッセージを提供することもできる。ＬＣＤスクリーン１３０４は、処方の名称（例えば、対応する物理的な薬物の名称）及び／又は処方が使用されるべき体の部位の名称などを提供するようにも再構成できる。ＬＣＤスクリーン１３０４は、処方の投与の経過時間又は残り時間の通知を提供することもできる。もしも追加の処方時間が承認されていない場合は、ＬＣＤスクリーン１３０４は、ユーザの医療専門家にコンタクトをとるようにユーザに通知することができる。
【００３５】
ＬＣＤスクリーン１３０４は、コイルとコントローラとの接続状態に関する表示を継続的又は定期的に提供するように構成できる。いくつかの実施態様において、ＬＣＤスクリーン１３０４は、「コイルが接続されています」「コイルが接続されていません」「コイルが識別されました」「認識できないコイルです」「コイルを再接続してください」などの状態や指示を表示するように構成できる。いくつかの実施態様において、ＬＣＤスクリーン１３０４は、コイルのグラフィック表示を提供し、コイルが適切に又は不適切に接続されたときにコイルの表示を点滅させることができる。あるいは又は更には、コントローラは、コイルの治療すべき部位からの移動、可能性がある除去、又は喪失などを検知するためにコイルからのインピーダンスを監視し、対応するエラー・メッセージを提供することができる。他の実施態様において、ＬＣＤインターフェース１３００は、ユーザから指示や命令を受信することに加えてユーザへの情報の伝達を行うタッチ・スクリーンであり得る。いくつかの実施態様において、マイクロコントローラ１００２は、例えばコントローラ１０４の電源を入れる又は切るためのハードウェア・ボタン及びスイッチからの入力を受信するように構成できる。デバイス上のスイッチにより治療のオン／オフ性が容認され、患者が必要に応じて選択的に治療のスイッチを入れたり切ったりすることができる。
【００３６】
図１４は、コイル‐ケーブル・アセンブリ１０２を薬物疑似シグナルによって駆動するために使用することができる信号生成回路１４００を示す。回路１４００は、オーディオ・コーデック１４０２、出力増幅器１４０４及び電流モニタ１４０６を含むことができる。オーディオ・コーデック１４０２は、揮発性メモリ１００６、不揮発性メモリ１１００又はマイクロコントローラ１００２から受信したデジタル入力をコイル‐ケーブル・アセンブリ１０２の駆動に有用なアナログ出力信号に変換するために使用できる。オーディオ・コーデック１４０２は、アナログ出力信号を出力増幅器１４０４に出力するように構成できる。いくつかの実施態様において、出力増幅器１４０４は、コイルに送信される信号の強度又は振幅が患者に対して処方された治療に従って変化し得るようにプログラム可能である。
【００３７】
コントローラ１０４は異なるサイズ、形状、及び巻き数を持つコイルと接続可能であるので、出力増幅器１４０４は、特定の処方に対して、各コイルが異なるコイル間で均一な薬物疑似シグナルを配信するように、コイルに配信される信号の強度レベルを調整するように構成できる。コイルの寸法と電気的特性によって、磁場の集中の深さと幅を決定することができ、したがって、均一の薬物疑似シグナルを配信するように出力増幅器１４０４の出力強度をプログラムで調節することで、医療専門家が、不注意に処方を変えてしまうことを気遣うことなく、特定の患者の体又は治療部位に適したコイルを選択することを有利に可能にすることができる。上述したように、コントローラ１０４は、コイルの寸法と電気的特性を、それらの情報を（図６及び図７に示される）集積回路６１０から読み出すことで判断することができる。信号生成回路１４００は、コイルから取得した寸法と電気的特性の情報を、出力増幅器１４０４から出力される信号の強度レベルをプログラムで調節するために使用するように構成できる。
【００３８】
出力増幅器１４０４は、例えば５０ｋＨｚより高い周波数の出力信号を大幅に減少又は除去するロー・パス・フィルタを含むことができる。他の実施態様において、ロー・パス・フィルタは２５ｋＨｚより高い周波数を有する出力信号を大幅に減少又は除去するように構成できる。信号生成回路１４００は、コイル‐ケーブル・アセンブリ１０２の電気的特性を判断するために及び／又は出力信号レベルが特定の閾値の範囲内にあることを確認するために、電流モニタ１４０６を使用することができる。信号生成回路１４００は、コイル‐ケーブル・アセンブリ１０２のコネクタ２０６と組み合わさるコネクタ１４０８を含むこともできる。コネクタ１４０８は、マイクロコントローラ１００２とコイル‐ケーブル・アセンブリ１０２との間に電気的インターフェースを提供できる。
【００３９】
他の実施態様において且つ上述したように、信号生成回路１４００はインダクタンス検知回路を含むこともできる。インダクタンス検知回路は、コイルのインダクタンスの変化を検知するように構成できる。コイルのインダクタンスは、コイルを患者の体に近接させたときに変化する。コイルのインダクタンスを監視することで、信号生成回路１４００とコントローラ１０４は、患者によるセラピー・システム１００の使用を追跡し記録をとる、すなわちログを記録することができる。例えば、医療専門家が１０時間のセラピー・システム１００の使用を処方したにもかかわらず、コントローラ１０４には３時間のセラピー・システム１００の使用しかログに記録されていなかったとすると、医療専門家は患者の回復状態、非回復状態、又は悪化状態を評価しやすくなる。いくつかの実施態様において、インダクタンス検知回路はソース・フォロワー回路として実装される。
【００４０】
図１５は、コントローラ１０４への電力を受け取るとともに調整するための電力制御回路１５００を示す。電力制御回路１５００は、電力入力回路１５０２と電力調整回路１５０４を含む。電力入力回路１５０２は、バッテリ１５１０を再充電するために外部電源から電力を受信するために、例えばマイクロＵＳＢコネクタであるコネクタ１５０６を含むことができる。電力入力回路１５０２は、バッテリ１５１０の電圧レベルを監視し、バッテリ１５１０が十分に充電されたときにバッテリをコネクタ１５０６から電気的に切り離す充電回路１５０８を含むこともできる。電力調整回路１５０４は、バッテリ１５１０の電圧レベルをコントローラ１０２の様々な回路が使用するためのより低い電圧に変換するために使用することができる。例えば、フル充電されたときのバッテリ１５１０がおよそ４．２ボルトから５ボルトの電圧を持ち得る一方で、マイクロコントローラの上部電圧閾値が３．５ボルトであるというようなことがある。電力調整回路１５０４は、バッテリのより高い電圧、例えば４．２ボルトを、コントローラ１０２の電子デバイスが使用可能なより低い電圧、例えば３．３ボルトに変換するように構成できる。
【００４１】
図１６は、非侵襲的、非熱的、及び移動可能の磁場治療を施すために使用できる携帯型セラピー・システムを動作させる方法１６００を示す。
【００４２】
ブロック１６０２において、電磁変換器が信号生成器に結合される。電磁変換器は、治療すべき疾病のサイズと状態に応じた様々な形状とサイズを持つコイルであり得る。
【００４３】
ブロック１６０４において、電磁変換器は、患者の治療すべき部位に固定される。変換器は、弾性包帯、ガーゼ、テープなどを使用して固定することができる。
【００４４】
ブロック１６０６において、信号生成器は、電磁変換器への適切な接続についてチェックする。信号生成器は、適切な変換器が生成器に結合されていることを確実にするために、電磁変換器のＩＤ又は変換器の抵抗もしくはインピーダンスなどの電気的特性を確認するように構成できる。いくつかの実施態様において、信号生成器は、適切な接続が維持されていることを確実にするために、電磁変換器の電気的特性を定期的に監視するように構成できる。例えば、もしも抵抗の増加や又はインダクタンスの低下を検知した場合、信号生成器は、電磁変換器への信号の配信を中止するように構成できる。信号生成器は、予期しない電気的特性が検知されたとき、患者の健康と安全を守り、生成された信号を取得しようとする不正な試みを防止するために、信号の配信を中止することができる。上述のように、信号生成器は、電磁変換器の電気的特性の定期的なチェックのログを記録するように構成でき、検討のためにログ・データを医療専門家に提供することができる。本明細書において説明されるように、他のセキュリティ・チェックを実行してもよい。
【００４５】
ブロック１６０８において、信号生成器は、電磁変換器と信号生成器との間に適切な接続が存在するとの確認に応答して、信号生成器によって記憶された治療信号を復号する。
【００４６】
ブロック１６１０において、電磁変換器は、治療すべき患者の部位に向けられた磁気信号を生成する。磁気信号は信号生成器に記憶された治療信号を表す。様々な実施態様によれば、磁気信号は１Ｈｚから２２ｋＨｚの範囲の周波数を有する。
【００４７】
いくつかの実施態様において、薬物、生物、（化学的、生化学的、又は生物学的）分子のサンプルからのシグナルは、サンプルを電磁遮蔽構造内に配置し、そのサンプルを少なくとも１つの超電導量子干渉素子（ＳＱＵＩＤ：superconducting quantum interference device）又は磁力計に近接して配置することによって取得できる。薬物のサンプルは磁気と電磁気の両方を遮蔽した容器内に配置され、そこで薬物のサンプルは分子シグナルのシグナル源として作用する。別のシグナル源からの別のシグナルのない状態で、確率共鳴を生成するのに十分なノイズ振幅でノイズが薬物のサンプルに注入され、ここで、ノイズは複数の周波数にわたって実質的に均一な振幅を有する。超電導量子干渉素子（ＳＱＵＩＤ）又は磁力計を使用して、薬物のサンプルからの出力放射を検出し、他に生成された信号がない状態で注入されたノイズに重畳された、薬物サンプル源放射からなる電磁的時間領域シグナルとして記録される。ノイズの注入と放射の検出は、選択されたノイズ・レベル範囲内の複数のノイズ・レベルのそれぞれにおいて、薬物サンプル源放射が、注入されたノイズから区別できるまで繰り返される。
【００４８】
図１７Ａと図１７Ｂは、コイル１７０２をヒトの患者の頭蓋のまわりに位置決め又は固定するために使用することができるヘッドギア１７００（１７００ａ及び１７００ｂを含む）の例示の実施例を示す。ヘッドギアは、通気性のメッシュ１７０４、弾性ストラップ１７０６、及びバンド１７０８を含むことができる。通気性のメッシュ１７０４、弾性ストラップ１７０６、及びバンド１７０８によって、コイル１７０２を患者の頭蓋のまわりに保持、固定、さもなければ位置決めできる快適な装置が提供できる。ヘッドギア１７００は、バンド１７０８をコイルの１７０２の上に固定するための留め具１７１０（１７１０ａ、１７１０ｂ、１７１０ｃを含む）も含んでよい。留め具１７１０は、ベルクロ、スナップ、又は他の種類の固定具により影響を受け得る。図１７Ａにおいては、コイル１７０２が露出した又は固定されていない位置にあるヘッドギア１７００ａが図示されている。図１７Ｂにおいては、コイル１７０２が固定された位置にあるヘッドギア１７００ｂが図示されている。
【００４９】
図１８は、マウス研究モデルにおける、対照マウス被験体の投与マウス被検体との腫瘍の体積を比較したグラフ１８００である。研究において、１０個の腫瘍、すなわちマウス内のＵ８７多形性膠芽腫ヒト細胞性固形腫瘍、が対照群と投与群のそれぞれにおいて観察された。研究の一環として、対照群には治療が施されず、投与群には、セラピー・システム１００と類似のシステムによって、薬物疑似シグナル又は高周波エネルギーシグナルが投与された。グラフ１８００は、立方ミリメートル単位で腫瘍の体積を表すｙ軸１８０２を含む。グラフ１８００は、経過時間を日数で表すｘ軸１８０４も含む。マウス研究に示されるように、特定の薬物疑似シグナルの投与によって、悪性腫瘍又は腫瘍の体積を長期間にわたって維持又は減少できる、という可能性が存在する。
【００５０】
定義
下記の用語は別段の指示のない限り、概して以下の定義を有する。このような定義は、簡単ではあるが、当業者が本明細書に提供される詳細な説明に基づいて本発明の態様をより完全に理解する助けとなるであろう。他の定義は上述に提供されている。このような定義は、このような定義によってのみ定義されるのではなく、本発明全体（特許請求の範囲を含む）の説明によって更に定義される。
【００５１】
「高周波エネルギー」とは、およそ１Ｈｚから２２ｋＨｚの範囲の周波数を有する磁場を指す。
【００５２】
「磁気遮蔽」とは、遮蔽材料の磁気透磁率の結果として、磁束の通過を減少し、禁止し又は防止する遮蔽を指す。
【００５３】
「電磁遮蔽」とは、電磁放射の通過を減少させる、例えば標準的なファラデー電磁遮蔽又は他の方法を指す。
【００５４】
「ファラデー・ケージ」とは、望ましくない電磁放射のためにアースへの電気経路を提供して、電磁環境を鎮める電磁遮蔽構成を指す。
【００５５】
「時間領域シグナル」又は「時系列シグナル」は、時間とともに変化する過渡的な信号特性を備えたシグナルを指す。
【００５６】
「サンプル源放射」は、磁場中での分子双極子の回転などのサンプルの分子運動から生ずる磁束又は電磁束放射を指す。サンプル源放射は、注入された磁場の刺激の存在下で生じ得るため、「注入された磁場刺激に重畳されたサンプル源放射」とも称され得る。
【００５７】
「刺激磁場」又は「磁場刺激」は、（ｉ）サンプル位置において０と１Ｇ（ガウス）との間の選択された磁場を生成するよう計算された電圧レベルで注入されるホワイト・ノイズ、（ｉｉ）サンプル位置において０と１Ｇとの間の選択された磁場を生成するよう計算された電圧レベルで注入されるＤＣオフセット、及び／又は（ｉｉｉ）サンプル位置において０と１Ｇとの間の選択された磁場を生成するよう計算された注入電圧で、少なくとも約０〜１ｋＨｚの間の掃引範囲にわたり連続的に注入される低周波範囲にわたる掃引、を含み得る複数の電磁信号のうちの１つを、サンプルを取り囲む磁気コイルに注入する（印加する）ことで生成される磁場を指す。サンプル位置において生成される磁場は、注入コイルの形状と巻き数、コイルに供給される電圧、及び注入コイルとサンプルとの間の距離がわかれば、既知の電磁的関係を用いて容易に算出できる。
【００５８】
「選択された刺激磁場条件」は、ホワイト・ノイズ又はＤＣオフセット信号に適用された選択された電圧、又は、印加された掃引刺激磁場の選択された掃引範囲、掃引周波数及び電圧を指す。
【００５９】
「ホワイト・ノイズ」は、ホワイト・ランダム・ノイズ又は決定論的ノイズなど、ランダムなノイズ又は同時的な複数の周波数を有する信号を指す。ホワイト・ノイズ及び他のノイズのいくつかの変形が利用可能である。例えば、「ガウス型ホワイト・ノイズ」は、ガウス型パワー分布を有するホワイト・ノイズである。「定常ガウス型ホワイト・ノイズ」は、予測可能な将来のコンポーネントを持たないランダムなガウス型ホワイト・ノイズである。「構造的ノイズ」は、スペクトルの１つの領域から別の領域にエネルギーをシフトする対数的特性を含み得るホワイト・ノイズであるか、又は、振幅を一定に保ったままで、ランダムな時間要素を提供するように設計され得る。これら２つは、予測可能な将来のコンポーネントを持たない真にランダムなノイズと比較して、ピンク及び均一ノイズを表す。「均一ノイズ」は、ガウス分布でなく、矩形分布を有するホワイト・ノイズを意味する。
【００６０】
「周波数領域スペクトル」は、時間領域信号のフーリエ周波数プロットを指す。
【００６１】
「スペクトル・コンポーネント」は、周波数、振幅、及び／又は位相領域で測定できる、時間領域信号内の単一の又は反復的な特性を指す。スペクトル・コンポーネントは、典型的には周波数領域に存在する信号を指す。
【００６２】
結論
本明細書で説明されるシステムは、特定の供給経路をもたらすために特定の分子シグナルを変換し、化学的、生化学的、又は生物学的治療の効果を患者に与え、薬物や代替的な治療などを使用することなく不健康な状態を治療するように構成できる。例えば、システムは、ＲＮＡ配列信号を変換し、代謝経路及びタンパク質の産生を、上方制御と下方制御の双方において調整することができる。
【００６３】
本システムは多くの他の利点を提供する。システムは患者の様々な部位に治療を施すために拡大縮小可能である。コイル、ケーブル、及びコネクタは使い捨てであり、又はコントローラとともにデバイス全体が、好ましくは単一の治療セッション及び１つの処方に対して提供されるので、デバイスとコイルが再使用されることはなく、交差汚染などが防止される。デバイスのスイッチは、患者が必要に応じて選択的に治療のスイッチを入れたり切ったりすることができるように治療のオン／オフ性を容認する。
【００６４】
文脈が明らかにそうでないことを求めるのでない限り、説明及び特許請求の範囲全体にわたって、「備える」、「備えている」などの語は、排他的又は網羅的な意味ではなく、包括的な意味に解釈すべきであり、つまり、「を含むがそれに制限されない」という意味に解釈すべきである。本明細書で全体的に使用される「結合された」という語は、直接的に又は１つ又は複数の中間要素を介して接続された２つ以上の要素を指す。更に、「本明細書」、「上記の」、「以下の」という語、及び類似の意味の語は、本出願で使用されるとき、本出願の全体を指し、本出願の任意の特定の部分を指すものではない。文脈が許すとき、単数又は複数を用いた上記の「発明を実施するための形態」内の語は、それぞれ複数又は単数も含むことができる。２つ以上の項目のリストに関する「又は」という語は、リスト中の項目のいずれか、リスト中の項目のすべて、及びリスト中の項目の任意の組み合わせ、という解釈のすべてを網羅する。
【００６５】
本発明の実施例の上記の詳細な説明は、網羅的であったり、又は上記で開示した厳密な形態に本発明を限定することを意図していない。当業者は理解するであろうように、本発明の特定の実施例及び実例を例示の目的で上述したが、本発明の範囲内で様々な等価な改変が可能である。例えば、プロセス又はブロックは所与の順序で提示されているが、代替の実施例は、異なる順序で、ステップを有するルーチンを実行、又はブロックを有するシステムを採用することができ、いくつかのプロセス又はブロックは削除、移動、追加、分割、組み合わせ、及び／又は改変することができる。これらのプロセス又はブロックのそれぞれは、様々な異なる方法で実施することができる。また、時にこれらのプロセス又はブロックは直列的に実行するように示されているが、その代わりに、これらのプロセス又はブロックは並列に実行することができ、又は異なる時間に実行することができる。
【００６６】
本明細書で提供された本発明の教示は、必ずしも上述のシステムにではなく、他のシステムに適用することができる。上述した様々な実施例の要素及び動作を組み合わせて、更なる実施例を提供することができる。
【００６７】
上記の特許及び出願及び他の参考文献のすべては、添付の出願文書に列挙されたすべてを含めて、参照によって本明細書に組み込まれる。本発明の態様は、必要に応じて、上述した様々な参考文献のシステム、機能、及び概念を採用するように改変して、本発明の更なる別の実施例を提供するようにすることができる。
【００６８】
上記の「発明を実施するための形態」に照らして、本発明に対してこれら及び他の変更を行うことができる。上記の説明が本発明の特定の実施例について詳述し、意図される最良の形態について説明しているが、文中で上記のことがどれほど詳しく述べられていようと、本発明は多くの方法で実施できる。信号処理システムの詳細は、その実施態様の詳細においてかなりの程度異なり得るが、なお本明細書に開示される本発明に包含される。上述したように、本発明の特定の特徴又は態様を説明するときに使用される特定の用語は、その用語が関連する本発明の任意の特定の特性、特徴、又は態様に限定されるように本明細書で再定義されることを意味すると解釈されるべきでない。概して、以下の特許請求の範囲で使用される用語は、上記の「発明を実施するための形態」の節がそれらの用語を明示的に定義していない限り、本明細書に開示された特定の実施例に本発明を限定すると解釈されるべきでない。したがって、本発明の実際の範囲は、開示された実施例のみならず、特許請求の範囲のもとで発明を実施又は実現するすべての等価な方式も包含する。
【図１】
0006654132.tif 000002
【図２】
0006654132.tif 000003
【図３】
0006654132.tif 000004
【図４】
0006654132.tif 000005
【図５Ａ】
0006654132.tif 000006
【図５Ｂ】
0006654132.tif 000007
【図６】
0006654132.tif 000008
【図７】
0006654132.tif 000009
【図８】
0006654132.tif 000010
【図９】
0006654132.tif 000011
【図１０】
0006654132.tif 000012
【図１１】
0006654132.tif 000013
【図１２】
0006654132.tif 000014
【図１３】
0006654132.tif 000015
【図１４】
0006654132.tif 000016
【図１５】
0006654132.tif 000017
【図１６】
0006654132.tif 000018
【図１７Ａ】
0006654132.tif 000019
【図１７Ｂ】
0006654132.tif 000020
【図１８】
0006654132.tif 000021